(57)【要約】【課題】表示板に設けられている表示部の影が背景に映し出されるのを抑制して、視認性を向上させた表示装置を提供する。【解決手段】透明な基板に設けられた表示部７を有する表示板８と、この表示板８の背後に表示板８と離間して配置された背景板とを備え、表示部７の周囲に表示部７の周縁側が濃く外周側が薄い縁取り部２４を設ける。【選択図】図２
2008008818.tif 000002
【特許請求の範囲】
【請求項１】
透明な基板に設けられた表示部を有する表示板と、この表示板の背後に前記表示板と離間して配置された背景板とを備え、前記表示部の周囲に前記表示部の周縁側が濃く外周側が薄い縁取り部を設けたことを特徴とする表示装置。
【請求項２】
透明な基板に設けられた表示部を有する表示板と、この表示板の背後に前記表示板と離間して配置された背景板と、前記表示板を照明する光源とを備え、前記表示部の周囲に前記表示部の周縁側が濃く外周側が薄い縁取り部を設けたことを特徴とする表示装置。
【請求項３】
前記縁取り部は印刷によって設けられ、前記印刷の密度が前記表示部の周縁側から外周側にかけて密から徐々に粗となることを特徴とする請求項１または請求項２に記載の表示装置。
【請求項４】
前記縁取り部の前記表示部周囲際にはベタ印刷領域を有することを特徴とする請求項３に記載の表示装置。
【請求項５】
前記縁取り部の輪郭は前記表示部の輪郭からほぼ一定であることを特徴とする請求項１から請求項４の何れかに記載の表示装置。
【発明の詳細な説明】
【技術分野】
【０００１】
本発明は、例えば車両に備えられる表示装置に関するものである。
【背景技術】
【０００２】
車両用の表示装置に於いて、立体感、奥行き感のあるコンビネーションメータを実現したものとして、例えば下記特許文献１がある。特許文献１に記載の車両用計器は、各々の表面に表示部を有する第１の表示盤と第２の表示盤を２枚積層構成することにより、立体感、奥行き感のある斬新な見栄えのする車両用計器が得られるというものである。
【特許文献１】特開２００３−２４７８７１号公報
【発明の開示】
【発明が解決しようとする課題】
【０００３】
前記特許文献１の様に構成した車両用計器であって、第２の表示盤が白系統の色調もしくは反射率の高い色調である場合に、例えば太陽光が差すと第１の表示部２ａ，２ｂが設けられた第１の表示盤２が透明材料からなるため、第２の表示盤３上に表示部の影ができて（表示部の形が黒っぽく映って）しまい、表示部が読みにくかったり、見栄えが悪くなるということがある。
【０００４】
本発明はこの様な点に鑑みなされたもので、表示板に設けられている表示部の影が背景に映し出されるのを抑制して、視認性を向上させた表示装置を提供することを目的とする。
【課題を解決するための手段】
【０００５】
本発明は前記目的を達成するため、透明な基板に設けられた表示部を有する表示板と、この表示板の背後に前記表示板と離間して配置された背景板とを備え、前記表示部の周囲に前記表示部の周縁側が濃く外周側が薄い縁取り部を設けたものである。
【０００６】
また、透明な基板に設けられた表示部を有する表示板と、この表示板の背後に前記表示板と離間して配置された背景板と、前記表示板を照明する光源とを備え、前記表示部の周囲に前記表示部の周縁側が濃く外周側が薄い縁取り部を設けたものである。
【０００７】
また、前記縁取り部は印刷によって設けられ、前記印刷の密度が前記表示部の周縁側から外周側にかけて密から徐々に粗となるものである。
【０００８】
また、前記縁取り部の前記表示部周囲際にはベタ印刷領域を有するものである。
【０００９】
また、前記縁取り部の輪郭は前記表示部の輪郭からほぼ一定であるものである。
【発明の効果】
【００１０】
表示板に設けられている表示部の影が背景に映し出されるのを抑制して、視認性を向上させた表示装置を得ることができる。
【発明を実施するための最良の形態】
【００１１】
本発明を各実施形態に基づいて説明する。図１は第１実施形態を示す車両用の表示装置の断面図であり、図２は同表示装置に用いられる表示板の部分正面図である。図３は表示板に設けられている表示部周囲を示す部分詳細図（図２に於けるＸ部）であり、図４は表示板の部分断面図（図３に於けるＡ−Ａ断面）である。
【００１２】
表示装置は、例えば指針式の回転計１を備えている。回転計１は、硬質な回路基板２と、この回路基板２の裏面側に回路基板２と導通状態で装着され、回路基板２を貫通して前方に延びる回動軸３を有する表示器本体４と、回動軸３に固着された指示部５を有する指針６と、この指針６の後方側に配置され指示部５によって指し示される表示部７を設けた表示板８と、この表示板８の背後に表示板８と離間して配置された例えば白色系の半透明な合成樹脂からなる背景板９と、回路基板２に実装され指針６の指示部５を光輝させる光源としての指針用発光ダイオード１０と、背景板９を背後から照射し面発光させる光源としての背景板用発光ダイオード１１を備えている。
【００１３】
また、表示板８と回路基板２との間に配置され表示板８および背景板９が支持されるケース部材１２と、表示板８の周縁前方側に配置され表示板８の可視領域を定める開口部１３を有する例えば黒色の合成樹脂からなる見返し部材１４と、表示板８や見返し部材１４などの前方側を被う無色透明な合成樹脂からなる透視板１５と、回路基板２の裏面側を覆う合成樹脂製のカバー１６を備えている。
【００１４】
指針６は、無色透明な合成樹脂からなる指示部５の他に、指針軸１７と、遮光性の合成樹脂からなる指針キャップ１８を備えている。指示部５の裏面には例えば白色の箔（図示せず）がホットスタンプされており、昼間など周囲が明るい時は指示部５が白色で視認される。また、夜間など周囲が暗い時に例えば白色で発光する指針用発光ダイオード１０が点灯した際も、指示部５に導かれた光が白色の箔に反射して指示部５が白色で光輝されるようになっている。この指針６は指針軸１７を表示器本体４の回動軸３の先端側に圧入することによって表示器本体４に固着される。
【００１５】
ケース部材１２は、遮光性のある例えば白色の合成樹脂からなり、回動軸３の周囲に配置された指針用発光ダイオード１０を囲むように配置された筒状の遮光壁１９と、周壁２０と、遮光壁１９および周壁２０に設けられた段部２１などを有している。この段部２１に前述した背景板９が装着されるようになっている。
【００１６】
表示板８は、無色透明な合成樹脂からなる基板２２の表面側に車両のエンジン回転数を現す目盛，数字などの表示部７となる例えば白色の表示層２３を印刷によって設けた後、表示部７の周囲に例えば黒色の縁取り部２４が印刷してある（図２に於いて、斜線部が縁取り部２４である）。この縁取り部２４は、図３に示す目盛表示部７ａの様に例えば丸点状の黒色印刷の密度が目盛表示部７ａの周縁側から外周側にかけて密から徐々に粗となる様に設けてある。この様に設けることによって、目盛表示部７ａの周縁側が濃く外周側が薄い（周縁側の光透過率が低く、外周側の光透過率が高くなるように光透過率が徐々に変化する）縁取り部２４となる。なお、縁取り部２４を丸点状としたが丸に限定するものではなく、目盛表示部７ａ（表示部７）の輪郭から遠ざかるに従って縁取り部２４の印刷密度が徐々に粗となるようになっていれば良い。また、表示部７および縁取り部２４は基板２２の裏面側であっても良い。
【００１７】
また、本実施形態に於いては縁取り部２４の表示部周囲際は表示部７の輪郭に沿って一定幅（周囲約0.3mm幅）を有するベタ印刷領域Ｓとしてある。また、例えば長方形の目盛表示部７ａの場合、図３に示す様に目盛表示部７ａの角部に対応した縁取り部２４の外形線Ｌ（角部）は円弧で結んである。この様にすることによって、縁取り部２４の輪郭は目盛表示部７ａの輪郭からほぼ一定距離となる。目盛表示部７ａに限らず、他の表示部７も同様にすることが望ましい。
【００１８】
この様に構成された表示装置に於いて、昼間など周囲が明るい時は、表示板８の表示部７が白色で視認される。この際、表示部７以外の透明箇所を透して表示部７と同色系の背景板９が視認されるが、表示部７の周囲に黒色の縁取り部２４が設けてあるためにコントラストがはっきりしており、表示部７の視認性が良い。また、表示部７と表示部７の背景となる背景板９とが離間されて配置されているために、表示装置に奥行き感が得られる。また、ベタ印刷領域Ｓを有しているため目盛表示部７ａの輪郭が直線的となり、表示部７の見栄えが悪くない。
【００１９】
また、この様な表示装置に外光が差した場合、表示部７およびベタ印刷領域Ｓの影が背景板９上に黒っぽく映る可能性があるが、ベタ印刷領域Ｓ周囲の印刷密度が徐々に粗となっているために、表示部７の影が背景板９上にくっきりと現れにくい（輪郭がぼやける）。この様に、背景板９が白色系あるいは反射率の高い色調（アルミニウム色や灰色など）であっても表示部７が読みにくかったり、表示装置の見栄えが悪くなったりするということが抑えられる。
【００２０】
また、縁取り部２４の輪郭を表示部７の輪郭からほぼ一定距離とする（表示部７周囲の縁取り部２４の幅を全周ほぼ一定とする）ことによって、全周に渡ってスムーズな除変（密から徐々に粗に変化させること）が実現でき、縁取り部２４の見栄えが低下することがない。
【００２１】
また、夜間など周囲が暗い時に例えば白色で発光する背景板用発光ダイオード１１が点灯すると、背景板用発光ダイオード１１からの光は背景板９を透過して表示板８全面を照明する。すると、表示部７および縁取り部２４以外の透明箇所を透して視認される白色の背景上に、白色で透過照明された表示部７と、表示部７の周縁側が密で外周側が徐々に粗となる様に設けられた縁取り部２４がシルエットとなって視認される。この際、表示部７と表示部７の背景である背景板９とが離間されて配置されているために、表示部７が浮き上がったように視認される。
【００２２】
次に、本発明の第２実施形態について説明する。前記第１実施形態とは表示板および表示板の照明形態が主に異なる。図５は第２実施形態を示す車両用の表示装置の断面図である。図６は同表示装置に用いられる表示板の部分断面図であり、前記第１実施形態に於ける図３のＡ−Ａ断面に相当するものである。なお、表示板を正面から見た際は、前記第１実施形態の図２の如く視認されるため、本実施形態に於いては図示を省略する。また、前記第１実施形態と同一もしくは相当箇所については同一符号を付し、その説明は省略する。
【００２３】
表示板７は、ケース部材１２に設けられた遮光壁１９と筒部２５との間に配置された光源としての表示板用発光ダイオード２６からの光で照明される様になっている。つまり、表示板７は表示板用発光ダイオード２６からの光を受光する受光部２７と、この受光部２７に入射した光を反射させる反射面２８と、この反射面２８で反射した光が導かれる平面部２９を有しており、平面部２９に前記第１実施形態と同様に、車両のエンジン回転数を現す目盛，数字などの表示部７と縁取り部２４が設けてある。
【００２４】
図６に示す様に、無色透明な基板２２の裏面側に表示部７となる例えば白色の表示層２３を印刷によって設ける。その後、表示部７の周囲に例えば黒色の縁取り部２４を印刷するが、その際表示層２３を覆う背後層３０を同時に印刷する。縁取り部２４は前記第１実施形態と同様に、丸点状の黒色印刷の密度が表示部７の周縁側から外周側にかけて密から徐々に粗となる様に設けてある。また、縁取り部２４の表示部周囲際は表示部７の輪郭に沿って一定幅を有するベタ印刷領域Ｓを有している。
【００２５】
なお、図５に示す３１は、例えば黒色の合成樹脂からなる化粧板である。この化粧板３１は表示板７の反射面２８を覆うように配置してある。つまり、表示板用発光ダイオード２６からの光がケース部材１２に設けられた遮光壁１９と筒部２５との間から視認者（車両運転者）側に洩れるのを防ぐものである。従って、化粧板３１を配置せず、指針キャップ１８の径を大きくする、指針キャップ１８の下端側（表示板７側）に径大の鍔を設ける、など方法は任意である。また、本実施形態に於ける背景板９はケース部材１２の遮光壁１９および筒部２５に設けられた段部２１に装着されている。
【００２６】
この様に構成された表示装置に於いて、昼間など周囲が明るい時は、前記第１実施形態と同様に表示板８の表示部７が白色で視認される。この際、表示部７以外の透明箇所を透して表示部７と同色系の背景板９が視認されるが、表示部７の周囲に黒色の縁取り部２４が設けてあるためにコントラストがはっきりしており、表示部７の視認性が良い。また、ベタ印刷領域Ｓを有しているため、表示部７の見栄えが悪くない。
【００２７】
また、外光が差した場合であっても前記第１実施形態と同様に、表示部７の影が背景板９上にくっきりと現れにくく（輪郭がぼやける）、視認性が向上する。また、縁取り部２４の輪郭を表示部７の輪郭からほぼ一定距離とする（表示部７周囲の縁取り部２４の幅を全周ほぼ一定とする）ことによって、全周に渡ってスムーズな除変（密から徐々に粗に変化させること）が実現でき、縁取り部２４の見栄えが低下することがない。
【００２８】
また、夜間など周囲が暗い時に例えば白色で発光する表示板用発光ダイオード２６が点灯すると、平面部２９に導かれた光によって表示部７が白色で視認される。この際、表示層２３を覆う背後層３０が無いと表示部７が背景板９に投影するが、背後層３０が設けてあるために映り込みが抑制できる。
【００２９】
なお、表示部７および縁取り部２４の色調は前記各実施形態に限定されるものではないが、コントラストが明確となる様な色の組み合わせが望ましい。また、ベタ印刷領域Ｓは必ずしも設ける必要はないが、前述した様に表示部７の輪郭が直線的でくっきりするため、設けた方が良い。
【図面の簡単な説明】
【００３０】
【図１】本発明の第１実施形態を示す表示装置の断面図。
【図２】同表示装置に用いられる表示板の部分正面図。
【図３】同表示板の表示部周囲を示す部分詳細図。
【図４】同表示板の部分断面図（図３に於けるＡ−Ａ断面）。
【図５】本発明の第２実施形態を示す表示装置の断面図。
【図６】同表示装置に用いられる表示板の部分断面図。
【符号の説明】
【００３１】
７  表示部
７ａ  目盛表示部
８  表示板
９  背景板
２２  基板
２４  縁取り部
Ｓ  ベタ印刷領域
【図１】
2008008818.tif 000003
【図２】
2008008818.tif 000004
【図３】
2008008818.tif 000005
【図４】
2008008818.tif 000006
【図５】
2008008818.tif 000007
【図６】
2008008818.tif 000008